(57)【要約】【課題】電力制御装置とサーバ装置との通信が切断した場合でも、電力制御装置が負荷機器を制御でき、また通信が切断されたことを適時に把握することができる電力制御システム、電力制御装置、サーバ装置、及び電力制御システムの制御方法を提供する。【解決手段】サーバ装置２０は、電力制御装置１０からポーリングを受けた場合、該ポーリングにより電力制御装置１０が取得した制御指示のステータスを変更してコントロールキュー２０３に格納し、コントロールキュー２０３に格納されている制御指示のステータスに基づきポーリングにより取得されていない制御指示の残数又は残存時間の少なくとも一方を抽出し、残数又は残存時間の少なくとも一方が所定値以上である場合、警告を報知し、電力制御装置１０は、ポーリングに対するサーバ装置２０からの応答が無い場合、制御指針情報に基づき制御指示を作成し、該制御指示を実行することを特徴とする。【選択図】図３
2014017795.tif 000002
【特許請求の範囲】
【請求項１】
電力制御装置と、サーバ装置とを備える電力制御システムであって、
前記サーバ装置は、前記電力制御装置からポーリングを受けた場合、該ポーリングにより前記電力制御装置が取得した制御指示のステータスを変更してコントロールキューに格納し、
前記サーバ装置はさらに、前記コントロールキューに格納されている前記制御指示の前記ステータスに基づき前記ポーリングにより取得されていない制御指示の残数又は残存時間の少なくとも一方を抽出し、前記残数又は前記残存時間の少なくとも一方が所定値以上である場合、警告を報知し、
前記電力制御装置は、ポーリングに対する前記サーバ装置からの応答が無い場合、制御指針情報に基づき制御指示を作成し、該制御指示を実行することを特徴とする電力制御システム。
【請求項２】
電力制御装置と、サーバ装置とを備える電力制御システムであって、
前記サーバ装置は、前記電力制御装置からポーリングを受けた場合、該ポーリングにより前記電力制御装置が取得した制御指示をコントロールキューから削除し、
前記サーバ装置はさらに、前記コントロールキューに格納されている前記制御指示の残数又は残存時間の少なくとも一方が所定値以上である場合、警告を報知し、
前記電力制御装置は、ポーリングに対する前記サーバ装置からの応答が無い場合、制御指針情報に基づき制御指示を作成し、該制御指示を実行することを特徴とする電力制御システム。
【請求項３】
前記電力制御装置は、前記制御指針情報を前記サーバ装置から取得することを特徴とする、請求項１又は２に記載の電力制御システム。
【請求項４】
制御指針情報を格納する記憶部と、
ポーリングに対するサーバ装置からの応答が無い場合、前記制御指針情報に基づき制御指示を作成する制御指示作成部と、
前記制御指示を実行する制御部と、
を備える電力制御装置。
【請求項５】
前記電力制御装置は、前記制御指針情報を前記サーバ装置から取得することを特徴とする、請求項４に記載の電力制御装置。
【請求項６】
制御指示を格納するコントロールキューと、
電力制御装置からポーリングを受けた場合、該ポーリングにより前記電力制御装置が取得した制御指示のステータスを変更して前記コントロールキューに格納するコントローラと、
前記コントロールキューに格納されている前記制御指示の前記ステータスに基づき前記ポーリングにより取得されていない制御指示の残数又は残存時間の少なくとも一方を抽出し、前記残数又は前記残存時間の少なくとも一方が所定値以上である場合、警告を報知する報知部と、
を備えることを特徴とするサーバ装置。
【請求項７】
制御指示を格納するコントロールキューと、
電力制御装置からポーリングを受けた場合、該ポーリングにより前記電力制御装置が取得した制御指示を前記コントロールキューから削除するコントローラと、
前記コントロールキューに格納されている制御指示の残数又は残存時間の少なくとも一方が所定値以上である場合、警告を報知する報知部と、
を備えることを特徴とするサーバ装置。
【請求項８】
電力制御装置と、サーバ装置とを備える電力制御システムの制御方法であって、
前記サーバ装置は、前記電力制御装置からポーリングを受けた場合、該ポーリングにより前記電力制御装置が取得した制御指示のステータスを変更してコントロールキューに格納するステップと、
前記サーバ装置はさらに、前記コントロールキューに格納されている前記制御指示の前記ステータスに基づき前記ポーリングにより取得されていない制御指示の残数又は残存時間の少なくとも一方を抽出し、前記残数又は前記残存時間の少なくとも一方が所定値以上である場合、警告を報知するステップと、
前記電力制御装置は、ポーリングに対する前記サーバ装置からの応答が無い場合、制御指針情報に基づき制御指示を作成し、該制御指示を実行するステップと、
を含む電力制御システムの制御方法。
【請求項９】
電力制御装置と、サーバ装置とを備える電力制御システムの制御方法であって、
前記サーバ装置は、前記電力制御装置からポーリングを受けた場合、該ポーリングにより前記電力制御装置が取得した制御指示をコントロールキューから削除するステップと、
前記サーバ装置はさらに、前記コントロールキューに格納されている前記制御指示の残数又は残存時間の少なくとも一方が所定値以上である場合、警告を報知するステップと、
前記電力制御装置は、ポーリングに対する前記サーバ装置からの応答が無い場合、制御指針情報に基づき制御指示を作成し、該制御指示を実行するステップと、
を含む電力制御システムの制御方法。
【請求項１０】
前記電力制御装置が、前記制御指針情報を前記サーバ装置から取得するステップを含むことを特徴とする、請求項８又は９に記載の電力制御システムの制御方法。
【発明の詳細な説明】
【技術分野】
【０００１】
本発明は、サーバ装置からの制御指示に基づいて、電力制御装置が負荷機器を制御する電力制御システム、電力制御装置、サーバ装置、及び電力制御システムの制御方法に関する。
【背景技術】
【０００２】
近年、インターネットを介して、遠隔地から多様な機器を制御するシステムが提案されている（特許文献１参照）。インターネットなどのネットワークを介した機器の制御においてサーバが機器を直接制御するためには、制御対象の機器を一意に特定するグローバルＩＰアドレスなどの固有の識別番号が機器に割当てられる必要がある。制御対象となる機器の数に対して固有の識別番号は有限であり、すべての制御機器に固有の識別番号を割当てると、識別番号が枯渇するおそれがある。
【０００３】
そこで、インターネットなどのネットワークを介して機器を制御する際に、ローカルの制御装置からサーバにアクセスしてサーバからの制御指示を読取り、読取った制御指示に基づいて、ローカルの電力制御装置が負荷機器の制御を行うシステムが提案されている（特許文献２参照）。このようなポーリングによる制御指示を取得し、ローカルの制御装置が機器の制御を行う構成によれば、機器毎への固有の識別番号の割当が不要である。
【先行技術文献】
【特許文献】
【０００４】
【特許文献１】特開２００７−３３６１８０号公報
【特許文献２】特開２００９−２６０９１３号公報
【発明の概要】
【発明が解決しようとする課題】
【０００５】
しかしながら従来は、サーバからの制御指示に基づいて電力制御装置が負荷機器を制御しているため、サーバと電力制御装置との通信が切断された場合に電力制御装置がサーバから制御指示を取得できず、負荷機器の制御が行えないという問題があった。また、サーバと電力制御装置との通信が切断されたことを適時に把握する手段が無く、契約電力を超過してしまうおそれがあった。
【０００６】
従って、上記のような問題点に鑑みてなされた本発明の目的は、電力制御装置とサーバとの通信が切断した場合でも、電力制御装置が負荷機器を制御でき、また通信が切断されたことを適時に把握することができる電力制御システム、電力制御装置、サーバ装置、及び電力制御システムを提供することにある。
【課題を解決するための手段】
【０００７】
上記課題を解決するために本発明に係る電力制御システムは、
電力制御装置と、サーバ装置とを備える電力制御システムであって、
前記サーバ装置は、前記電力制御装置からポーリングを受けた場合、該ポーリングにより前記電力制御装置が取得した制御指示のステータスを変更してコントロールキューに格納し、
前記サーバ装置はさらに、前記コントロールキューに格納されている前記制御指示の前記ステータスに基づき前記ポーリングにより取得されていない制御指示の残数又は残存時間の少なくとも一方を抽出し、前記残数又は前記残存時間の少なくとも一方が所定値以上である場合、警告を報知し、
前記電力制御装置は、ポーリングに対する前記サーバ装置からの応答が無い場合、制御指針情報に基づき制御指示を作成し、該制御指示を実行することを特徴とする。
【０００８】
また本発明に係る電力制御システムは、
電力制御装置と、サーバ装置とを備える電力制御システムであって、
前記サーバ装置は、前記電力制御装置からポーリングを受けた場合、該ポーリングにより前記電力制御装置が取得した制御指示をコントロールキューから削除し、
前記サーバ装置はさらに、前記コントロールキューに格納されている前記制御指示の残数又は残存時間の少なくとも一方が所定値以上である場合、警告を報知し、
前記電力制御装置は、ポーリングに対する前記サーバ装置からの応答が無い場合、制御指針情報に基づき制御指示を作成し、該制御指示を実行することを特徴とする。
【０００９】
また本発明に係る電力制御システムは、
前記電力制御装置が、前記制御指針情報を前記サーバ装置から取得することを特徴とする。
【００１０】
また本発明に係る電力制御装置は、
制御指針情報を格納する記憶部と、
ポーリングに対するサーバ装置からの応答が無い場合、前記制御指針情報に基づき制御指示を作成する制御指示作成部と、
前記制御指示を実行する制御部と、
を備えることを特徴とする。
【００１１】
また本発明に係る電力制御装置は、前記制御指針情報を前記サーバ装置から取得することを特徴とする。
【００１２】
また本発明に係るサーバ装置は、
制御指示を格納するコントロールキューと、
電力制御装置からポーリングを受けた場合、該ポーリングにより前記電力制御装置が取得した制御指示のステータスを変更して前記コントロールキューに格納するコントローラと、
前記コントロールキューに格納されている前記制御指示の前記ステータスに基づき前記ポーリングにより取得されていない制御指示の残数又は残存時間の少なくとも一方を抽出し、前記残数又は前記残存時間の少なくとも一方が所定値以上である場合、警告を報知する報知部と、
を備えることを特徴とする。
【００１３】
また本発明に係るサーバ装置は、
制御指示を格納するコントロールキューと、
電力制御装置からポーリングを受けた場合、該ポーリングにより前記電力制御装置が取得した制御指示を前記コントロールキューから削除するコントローラと、
前記コントロールキューに格納されている制御指示の残数又は残存時間の少なくとも一方が所定値以上である場合、警告を報知する報知部と、
を備えることを特徴とする。
【００１４】
また本発明に係る電力制御システムの制御方法は、
電力制御装置と、サーバ装置とを備える電力制御システムの制御方法であって、
前記サーバ装置は、前記電力制御装置からポーリングを受けた場合、該ポーリングにより前記電力制御装置が取得した制御指示のステータスを変更してコントロールキューに格納するステップと、
前記サーバ装置はさらに、前記コントロールキューに格納されている前記制御指示の前記ステータスに基づき前記ポーリングにより取得されていない制御指示の残数又は残存時間の少なくとも一方を抽出し、前記残数又は前記残存時間の少なくとも一方が所定値以上である場合、警告を報知するステップと、
前記電力制御装置は、ポーリングに対する前記サーバ装置からの応答が無い場合、制御指針情報に基づき制御指示を作成し、該制御指示を実行するステップと、
を含むことを特徴とする。
【００１５】
また本発明に係る電力制御システムの制御方法は、
電力制御装置と、サーバ装置とを備える電力制御システムの制御方法であって、
前記サーバ装置は、前記電力制御装置からポーリングを受けた場合、該ポーリングにより前記電力制御装置が取得した制御指示をコントロールキューから削除するステップと、
前記サーバ装置はさらに、前記コントロールキューに格納されている前記制御指示の残数又は残存時間の少なくとも一方が所定値以上である場合、警告を報知するステップと、
前記電力制御装置は、ポーリングに対する前記サーバ装置からの応答が無い場合、制御指針情報に基づき制御指示を作成し、該制御指示を実行するステップと、
を含むことを特徴とする。
【００１６】
また本発明に係る電力制御システムの制御方法は、
前記電力制御装置が、前記制御指針情報を前記サーバ装置から取得するステップを含むことを特徴とする。
【発明の効果】
【００１７】
本発明における電力制御システム、電力制御装置、サーバ装置、及び電力制御システムの制御方法によれば、電力制御装置とサーバ装置との通信が切断した場合でも、電力制御装置が負荷機器を制御でき、また通信が切断されたことを適時に把握することができる。
【図面の簡単な説明】
【００１８】
【図１】実施の形態１に係る電力制御システムの概略構成を示す図である。
【図２】実施の形態１に係る電力制御装置の機能ブロック図である。
【図３】実施の形態１に係る電力制御装置の動作を示すフローチャートである。
【図４】実施の形態２に係る電力制御装置の動作を示すフローチャートである。
【発明を実施するための形態】
【００１９】
以下、本発明の実施の形態について説明する。
【００２０】
（実施の形態１）
まず、本発明の実施の形態１に係る電力制御装置を有する電力制御システムについて説明する。図１は、本発明の一実施形態に係る電力制御装置を含む電力制御システムの概略構成を示す通信システム構成図である。
【００２１】
図１に示すように、電力制御システムは、概略として電力制御装置１０と、ユーザ端末１１と、サーバ装置であるＥＭＳ（Ｅｎｅｒｇｙ Ｍａｎａｇｅｍｅｎｔ Ｓｙｓｔｅｍ）サーバ２０とを有する。
【００２２】
インターネット３０は、電力制御装置１０、ユーザ端末１１、およびＥＭＳサーバ２０を接続し、データおよび制御指示などの信号を通信する。また電力制御装置１０及びユーザ端末１１はそれぞれＬＡＮ（Ｌｏｃａｌ Ａｒｅａ Ｎｅｔｗｏｒｋ）４０内に存在する。
【００２３】
電力制御装置１０は、例えばＥＭＳ Ｇａｔｅｗａｙである。電力制御装置１０は、後述するセンサが検出する消費電力量などの測定値を、定期的にＥＭＳサーバ２０に送信する。また、電力制御装置１０は、ポーリングによりＥＭＳサーバ２０から、ＬＡＮ４０内に存在する負荷機器の制御指示を取得する。電力制御装置１０は、ＥＭＳサーバ２０から受信した制御指示に基づいて、ＬＡＮ４０内に存在する負荷機器を制御する。
【００２４】
ユーザ端末１１はディスプレイを有し、ＬＡＮ４０内に存在するセンサが測定した測定値及びＬＡＮ４０に存在する負荷機器の運転状態を表示可能である。ユーザ端末１１は、測定値及び制御状態を表示するときには、ＥＭＳサーバ２０にＨＴＴＰによりデータを取得し、ユーザ端末１１のウェブブラウザが測定値表示ページを形成する。また、ユーザ端末１１において、ＬＡＮ４０内に存在する負荷機器の制御指示を発行する。制御指示の発行はウェブブラウザが構成する機器制御ページ上におけるユーザの操作の検出に基づく。ユーザ端末１１は、発行した制御指示をＥＭＳサーバ２０に送信する。
【００２５】
ＥＭＳサーバ２０は電力制御装置１０から送信される測定値を受信し、記憶する。また、ＥＭＳサーバ２０は、ユーザ端末１１が発行した制御指示を受付ける。また、ＥＭＳサーバ２０は、各負荷機器の制御指示を作成する。受付けた制御指示または作成した制御指示を、電力制御装置１０がポーリングにより読出す。また、ＥＭＳサーバ２０は、ＬＡＮ４０内に存在するセンサ情報の登録を受付け、また更新をする。
【００２６】
ＥＭＳサーバ２０は、データコレクタ２０１と、コントローラ２０２と、コントロールキュー２０３と、メモリ２０４と、報知部２０５とを有する。
【００２７】
データコレクタ２０１は、測定値およびセンサの登録情報を定期的に収集し、記憶又は更新する。
【００２８】
コントローラ２０２は、多様な目的を達成するように、多様なアルゴリズムで各負荷機器の制御指示を作成する。コントロールキュー２０３は、ユーザ端末１１から受付けた制御指示、コントローラ２０２が作成した制御指示を格納する。またコントロールキュー２０３は、各制御指示のステータスを格納する。ステータスは、当該制御指示が電力制御装置１０により取得されたか否かを示す。制御指示が取得されている場合、ステータスは“取得済”であり、制御指示が取得されていない場合、ステータスは“未”である。コントローラ２０２は、電力制御装置１０からポーリングを受けた場合、該ポーリングにより電力制御装置１０が取得した制御指示のステータスを、“未”から“取得済”に変更してコントロールキュー２０３に格納する。
【００２９】
またコントローラ２０２は、コントロールキュー２０３に格納されている制御指示のステータスを定期的に監視し、電力制御装置１０とＥＭＳサーバ２０間の通信が切断されているか否かを推定する。
【００３０】
具体的にはコントローラ２０２は、コントロールキュー２０３に格納されている、ステータスが“未”の制御指示の残存時間を抽出する。コントローラ２０２は、残存時間が所定時間以上である場合、後述する報知部２０５に警告を報知させる。
【００３１】
またコントローラ２０２は、制御指示の残存時間の替わりに、ステータスが“未”の制御指示の残数を抽出してもよい。この場合コントローラ２０２は、ステータスが“未”の制御指示の残数が所定値以上である場合に、後述する報知部２０５に警告を報知させる。当該所定値は、好適には３０分デマンドの残り時間に所定の定数を乗算した値である。または当該所定値は、３０分デマンドの上限値と３０分デマンドの積算電力との差分に所定の定数を乗算した値であってもよい。
【００３２】
またコントローラ２０２は、上記ステータスが“未”の制御指示の残存時間及び制御指示の残数の両方を抽出してもよく、この場合、ポーリングにより取得されていない制御指示の残数又は残存時間の少なくとも一方が所定値以上である場合に、報知部２０５に警告を報知させてもよい。
【００３３】
メモリ２０４はコントローラ２０２が制御指示を作成するために用いる多様なデータを記憶する。
【００３４】
報知部２０５は、コントローラ２０２の制御に基づき、警告を報知する。好適には報知部２０５は、ユーザ端末１１に電子メールを送信することにより警告を報知する。又は報知部２０５は、ＥＭＳサーバ２０の管理者端末又は電力制御装置１０の管理者端末に電子メールを送信することにより警告を報知してもよい。
【００３５】
次に、電力制御装置１０による測定値の送信および負荷機器の制御について説明する。ＬＡＮ４０内には、第１のセンサ１２と、センサ管理部１３と、第２のセンサ１４と、第３のセンサ１９と、負荷機器１５〜１６と、電力制御装置１０と、ユーザ端末１１とが存在する。また、電力制御装置１０は、デマンド監視装置１７を介して電力計１８と接続する。図１では負荷機器が２台存在する例を示しているがこれに限られず、負荷機器は、１台であってもよく、３台以上であってもよい。
【００３６】
第１のセンサ１２は、例えば電流センサ、電力センサ、温度センサ、または照度センサなどの任意のセンサであって、ＬＡＮ４０内に存在する負荷機器１５及び１６の駆動状態に関する測定値を検出する。
【００３７】
センサ管理部１３は第１のセンサ１２から測定値を検出する。センサ管理部１３は例えばＺｉｇＢｅｅ（登録商標）のＳＥＰ２．０（Ｓｍａｒｔ Ｅｎｅｒｇｙ Ｐｒｏｆｉｌｅ  ２．０）およびＥｃｈｏｎｅｔ（登録商標）などの標準のプロトコルによって電力制御装置１０と定期的に通信する。
【００３８】
第２のセンサ１４は、例えば電流センサ、電力センサ、温度センサ、または照度センサなどの任意のセンサであって、ＬＡＮ４０内に存在する負荷機器１５〜１６の駆動状態に関する測定値を検出する。また、第１のセンサ１２と異なり、第２のセンサは独自のプロトコルによって電力制御装置１０と通信する。
【００３９】
第３のセンサ１９は、例えば電流センサ、電力センサ、温度センサ、または照度センサなどの任意のセンサであって、ＬＡＮ４０ａ内に存在する負荷機器１５〜１６の駆動状態に関する測定値を検出する。また、第１のセンサ１２および第２のセンサ１４と異なり、第３のセンサ１９は、例えばＳＥＰ２．０およびＥｃｈｏｎｅｔ（登録商標）などの標準のプロトコルによって電力制御装置１０と直接通信を行う。
【００４０】
負荷機器１５〜１６は、例えばエアコン、灯具、冷蔵庫などの電力に基づいて駆動する機器である。負荷機器１５〜１６は、温度調整、照度調整などの運転状態の調整が可能であり、これらの調整により負荷機器１５〜１６の消費電力が変動する。負荷機器１５〜１６は、ＳＥＰ２．０およびＥｃｈｏｎｅｔ（登録商標）などの標準のプロトコルによって電力制御装置１０と通信する。
【００４１】
前述のように電力制御装置１０は、センサ管理部１３および第２のセンサ１４と通信可能であり、第１のセンサ１２および第２のセンサ１４の測定値を、定期的にインターネット３０を介してＥＭＳサーバ２０に送信する。また、前述のように、電力制御装置１０はポーリングによりＥＭＳサーバ２０から、自己が属するＬＡＮ４０に存在する負荷機器１５〜１６の制御指示を取得し、当該制御指示に基づいて、負荷機器１５〜１６の運転状態を制御する。
【００４２】
また、電力制御装置１０は、デマンド監視装置１７の出力からデマンド時限の始期を認識する。また、電力制御装置１０は、後述するように、デマンド監視装置１７の出力から現時点のデマンド時限におけるＬＡＮ４０内の全負荷機器（負荷機器１５〜１６を含む）の消費電力の現在値を取得する。
【００４３】
前述のようにユーザ端末１１は、ＬＡＮ４０内に存在する第１のセンサ１２および第２のセンサ１４の測定値を表示し、各負荷機器１５〜１６の運転状態を表示する。また、前述のように、ユーザ端末１１において、各負荷機器１５〜１６の直接的な制御指示、例えば温度そのものの設定、照度そのものの設定の指示が可能である。
【００４４】
電力計１８は、デマンド時限における店舗毎の累積消費電力（以下、デマンド電力（使用電力）という。）を測定する。デマンド時限とは、店舗などを運営する事業者（需要家）および電力会社の契約電力の取決めに用いられる基準時間である。例えば、デマンド時限が３０分で契約電力が３００ｋＷである場合に、任意のデマンド時限において消費電力が一時的に３００ｋＷを超えても３０分間の平均値が３００ｋＷ未満であれば契約が履行されたことを意味する。電力計１８は、デマンド時限の始期にデマンド電力をリセットし、デマンド時限の始期から現在までのデマンド電力を測定する。デマンド時限の終期における消費電力を測定することにより、当該デマンド時限におけるデマンド電力を測定可能である。デマンド監視装置１７は、電力計１８が出力するパルスを読出し、電力制御装置１０に出力する。
【００４５】
図２は、本発明の一実施形態に係る電力制御装置１０の機能ブロックを詳細に示した図である。電力制御装置１０は、記憶部１０１と、指示取得部１０２と、制御指示作成部１０３と、制御部１０４とを備える。
【００４６】
記憶部１０１は、制御指針情報を記憶する。制御指針情報は、電力制御の指針となる情報であり、天候等の環境データ、過去の消費電力、及び各制御指示に対応する測定データ等に基づき作成する。制御指針情報は、システム動作時に予め格納されていてもよく、又は定期的にＥＭＳサーバ２０から取得してもよい。定期的にＥＭＳサーバ２０から取得する場合は、ＥＭＳサーバ２０のメモリ２０４に格納されている制御指針情報を取得する。
【００４７】
指示取得部１０２は、ポーリングを定期的に行うことにより、制御指示をＥＭＳサーバ２０から取得する。
【００４８】
制御指示作成部１０３は、ポーリングに対するＥＭＳサーバからの応答が無い場合、記憶部１０１に記憶された制御指針情報に基づき制御指示を作成する。
【００４９】
制御部１０４は、電力制御装置１０に係る各種制御を行う。具体的には制御部１０４は、指示取得部１０２によるポーリングに対するＥＭＳサーバ２０からの応答の有無を判定する。また、制御部１０４は、ポーリングに対するＥＭＳサーバ２０からの応答が無い場合、制御指示作成部１０３に制御指示を作成させる。また制御部１０４は、ポーリングにより取得した制御指示を実行する。また制御部１０４は、制御指示作成部１０３が作成した制御指示を実行する。
【００５０】
次に、本発明の実施の形態１に係る電力制御システムについて、図３に示すフローチャートによりその動作を説明する。
【００５１】
はじめに電力制御装置１０の指示取得部１０２は、ポーリングを行う（ステップＳ１）。
【００５２】
次にＥＭＳサーバ２０のコントローラ２０２は、ポーリングを受信したか否かを判定する（ステップＳ２）。コントローラ２０２は、電力制御装置１０からポーリングを受けた場合、該ポーリングにより電力制御装置１０が取得した制御指示のステータスを、“未”から“取得済”に変更してコントロールキュー２０３に格納する（ステップＳ３）。一方ポーリングを受けていない場合、ステップＳ３をスキップしステップＳ４に進む。
【００５３】
続いてコントローラ２０２は、コントロールキュー２０３に格納されている制御指示のステータスを定期的に監視し、電力制御装置１０とＥＭＳサーバ２０間の通信が切断されているか否かを推定する（ステップＳ４）。具体的にはコントローラ２０２は、コントロールキュー２０３に格納されている、ステータスが“未”の制御指示の残存時間を抽出する。コントローラ２０２は、残存時間が所定時間以上である場合、後述する報知部２０５に警告を報知させる。またコントローラ２０２は、制御指示の残存時間の替わりに、ステータスが“未”の制御指示の残数を抽出してもよい。この場合コントローラ２０２は、ステータスが“未”の制御指示の残数が所定値以上である場合に、後述する報知部２０５に警告を報知させる。当該所定値は、好適には３０分デマンドの残り時間に所定の定数を乗算した値である。または当該所定値は、３０分デマンドの上限値と３０分デマンドの積算電力との差分に所定の定数を乗算した値であってもよい。またコントローラ２０２は、ポーリングにより取得されていない制御指示の残数又は残存時間の少なくとも一方が所定値以上である場合に、報知部２０５に警告を報知させてもよい。
【００５４】
ステップＳ４において通信が切断されていると推定された場合、報知部２０５は、コントローラ２０２の制御に基づき、警告を報知する（ステップＳ５）。好適には報知部２０５は、ユーザ端末１１に切断されていない経路で 電子メールを送信することにより警告を報知する。又は報知部２０５は、ＥＭＳサーバ２０の管理者端末又は電力制御装置１０の管理者端末に電子メールを送信することにより警告を報知してもよい。続いてステップＳ２に戻り、ＥＭＳサーバ２０は、ステップＳ２〜Ｓ５の処理を繰り返し行う。ステップＳ４において通信が切断されていないと推定された場合、ステップＳ５をスキップする。そしてステップＳ２に戻り、ＥＭＳサーバ２０は、ステップＳ２〜Ｓ５の処理を繰り返し行う。
【００５５】
ステップＳ１のポーリングの後、電力制御装置１０の制御部１０４は、指示取得部１０２によるポーリングに対するＥＭＳサーバ２０からの応答の有無を判定する（ステップＳ６）。ＥＭＳサーバ２０からの応答があった場合、制御部１０４は、ポーリングにより取得した制御指示を実行し（ステップＳ７）、処理が終了する。
【００５６】
一方ステップＳ６においてポーリングに対するＥＭＳサーバ２０からの応答が無い場合、制御部１０４は、制御指示作成部１０３に制御指示を作成させる。制御指示作成部１０３は、記憶部１０１に記憶された制御指針情報に基づき制御指示を作成する（ステップＳ８）。
【００５７】
続いて制御部１０４は、制御指示作成部１０３が作成した制御指示を実行する（ステップＳ９）。
【００５８】
このように本発明によれば、ＥＭＳサーバ２０からの応答が無い場合に、電力制御装置１０が、制御指針情報に基づき制御指示を作成して実行するため、電力制御装置１０とＥＭＳサーバ２０との通信が切断した場合でも、電力制御装置が負荷機器を制御できる。さらにＥＭＳサーバ２０が、コントロールキュー２０３に格納されている制御指示のステータスを定期的に監視して当該通信の切断を推定して警告を報知する。そのため、通信の切断を適時に把握することができる。
【００５９】
ステップＳ９において制御部１０４は、実行した制御指示及び当該制御指示による電力削減量等の測定データを、ログとして記憶部１０１に記録してもよい。そして制御部１０４は、通信接続の復旧後に、記憶部１０１にログとして記録した制御指示及び測定データをＥＭＳサーバ２０に送信してもよい。電力制御装置１０が、制御指針情報をＥＭＳサーバ２０から取得する構成である場合、ＥＭＳサーバ２０は、通信接続の復旧後に電力制御装置１０から受信した制御指示及び測定データに基づき、制御指針情報を更新してもよい。このようにすることにより、制御指針情報の精度を向上させることができる。
【００６０】
（実施の形態２）
以下に、本発明の実施の形態２について説明をする。実施の形態１と同一の構成については同一の符号を付し、説明は省略する。実施の形態２の電力制御システムは、実施の形態１にかかる構成と比較して、ＥＭＳサーバ２０のコントローラ２０２による処理が相違する。また、コントロールキュー２０３は、各制御指示のステータスを格納しない点が相違する。
【００６１】
コントローラ２０２は、多様な目的を達成するように、多様なアルゴリズムで各負荷機器の制御指示を作成する。コントロールキュー２０３は、ユーザ端末１１から受付けた制御指示、コントローラ２０２が作成した制御指示を格納する。
【００６２】
またＥＭＳサーバ２０のコントローラ２０２は、電力制御装置１０からポーリングを受けた場合、該ポーリングにより電力制御装置１０が取得した制御指示をコントロールキュー２０３から削除する。
【００６３】
またコントローラ２０２は、コントロールキュー２０３に格納されている制御指示を定期的に監視し、電力制御装置１０とＥＭＳサーバ２０間の通信が切断されているか否かを推定する。
【００６４】
具体的にはコントローラ２０２は、コントロールキュー２０３に格納されている制御指示の残存時間を監視する。コントローラ２０２は、残存時間が所定時間以上である場合、後述する報知部２０５に警告を報知させる。
【００６５】
またコントローラ２０２は、制御指示の残存時間の替わりに、制御指示の残数を監視してもよい。この場合コントローラ２０２は、制御指示の残数が所定値以上である場合に、後述する報知部２０５に警告を報知させる。当該所定値は、好適には３０分デマンドの残り時間に所定の定数を乗算した値である。または当該所定値は、３０分デマンドの上限値と３０分デマンドの積算電力との差分に所定の定数を乗算した値であってもよい。
【００６６】
またコントローラ２０２は、制御指示の残存時間及び制御指示の残数の両方を監視してもよく、この場合、ポーリングにより取得されていない制御指示の残数又は残存時間の少なくとも一方が所定値以上である場合に、報知部２０５に警告を報知させてもよい。
【００６７】
次に、本発明の実施の形態２に係る電力制御システムについて、図４に示すフローチャートによりその動作を説明する。実施の形態１に係る電力制御システムと同一の動作いついては同一の符号を付し、説明は省略する。
【００６８】
実施の形態２に係る電力制御システムにおいてはステップＳ２の後、コントローラ２０２は、電力制御装置１０からポーリングを受けた場合、該ポーリングにより電力制御装置１０が取得した制御指示をコントロールキュー２０３から削除する（ステップＳ３ｂ）。一方ポーリングを受けていない場合、ステップＳ３ｂをスキップし、ステップＳ４ｂに進む。
【００６９】
続いてコントローラ２０２は、コントロールキュー２０３に格納されている制御指示を定期的に監視し、電力制御装置１０とＥＭＳサーバ２０間の通信が切断されているか否かを推定する（ステップＳ４ｂ）。具体的にはコントローラ２０２は、コントロールキュー２０３に格納されている、制御指示の残存時間を監視する。コントローラ２０２は、残存時間が所定時間以上である場合、後述する報知部２０５に警告を報知させる。またコントローラ２０２は、制御指示の残存時間の替わりに、制御指示の残数を監視してもよい。この場合コントローラ２０２は、制御指示の残数が所定値以上である場合に、後述する報知部２０５に警告を報知させる。当該所定値は、好適には３０分デマンドの残り時間に所定の定数を乗算した値である。または当該所定値は、３０分デマンドの上限値と３０分デマンドの積算電力との差分に所定の定数を乗算した値であってもよい。ステップＳ５以降の動作は実施の形態１と同一である。
【００７０】
このように本発明によれば、ＥＭＳサーバ２０からの応答が無い場合に、電力制御装置１０が、制御指針情報に基づき制御指示を作成して実行するため、電力制御装置１０とＥＭＳサーバ２０との通信が切断した場合でも、電力制御装置が負荷機器を制御できる。さらにＥＭＳサーバ２０が、コントロールキュー２０３に格納されている制御指示を定期的に監視して当該通信の切断を推定して警告を報知する。そのため、通信の切断を適時に把握することができる。
【００７１】
本発明を諸図面及び実施例に基づき説明してきたが、当業者であれば本開示に基づき種々の変形及び修正を行うことが容易であることに注意されたい。従って、これらの変形及び修正は本発明の範囲に含まれることに留意されたい。例えば、各手段、各ステップ等に含まれる機能等は論理的に矛盾しないように再配置可能であり、複数の手段及びステップ等を１つに組み合わせたり、或いは分割したりすることが可能である。
【符号の説明】
【００７２】
１０  電力制御装置
１０１  記憶部
１０２  指示取得部
１０３  制御指示作成部
１０４  制御部
１０５  記録部
１１  ユーザ端末
１２  第１のセンサ
１３  センサ管理部
１４  第２のセンサ
１５〜１６  負荷機器
１７  デマンド監視装置
１８  電力計
１９  第３のセンサ
２０  ＥＭＳサーバ（サーバ装置）
３０  インターネット
４０  ＬＡＮ
２０１  データコレクタ
２０２  コントローラ
２０３  コントロールキュー
２０４  メモリ
２０５  報知部
【図１】
2014017795.tif 000003
【図２】
2014017795.tif 000004
【図３】
2014017795.tif 000005
【図４】
2014017795.tif 000006